(57)【特許請求の範囲】
【請求項１】
圧縮機と熱源機側熱交換機と上記圧縮機で圧縮された冷媒の流路を冷房運転時と暖房運転時とで切換え、上記冷媒が上記熱源機側熱交換器へ流入し得るようにされた四方弁と上記圧縮機および熱源機側熱交換器の制御並びに上記四方弁の切換制御を行なうと共に、洗浄運転の終了情報を記憶する終了情報保持部を有する熱源機制御器とを有し配管を介して室内機に接続された熱源機、および
流入した冷媒の異物を捕捉する異物捕捉手段と洗浄装置制御器とを有し、上記配管に設けられた洗浄装置を備えた空気調和装置であって、
上記熱源機制御器および上記洗浄装置制御器は、外部から洗浄運転開始の指示が与えられると上記熱源機と上記室内機とを接続する配管の弁を閉じ、上記熱源機と上記洗浄装置とを接続する配管の弁及び上記洗浄装置と上記室内機とを接続する配管の弁をそれぞれ開くと共に、上記室内機に流入する冷媒をバイパスさせるバイパス路を形成して上記冷媒を  上記洗浄装置及びバイパス路を経て上記圧縮機に流入させる洗浄運転を行ない、
外部から洗浄運転開始の指示が与えられず、かつ、上記終了情報保持部に上記終了情報が保持されていない場合には通常の冷暖房運転を禁止することを特徴とする空気調和装置。
【請求項２】
圧縮機と熱源機側熱交換機と上記圧縮機で圧縮された冷媒の流路を冷房運転時と暖房運転時とで切換え、上記冷媒が上記熱源機側熱交換器へ流入し得るようにされた四方弁と上記圧縮機および熱源機側熱交換器の制御並びに上記四方弁の切換制御を行なうと共に、洗浄運転の終了情報を記憶する終了情報保持部を有する熱源機制御器とを有し配管を介して室内機に接続された熱源機、および
流入した冷媒の異物を捕捉する異物捕捉手段と洗浄装置制御器とを有し、上記配管に設けられた洗浄装置を備えた空気調和装置であって、
上記熱源機制御器および上記洗浄装置制御器は、外部から洗浄運転開始の指示が与えられると上記熱源機と上記室内機とを接続する配管の弁を閉じ、上記熱源機と上記洗浄装置とを接続する配管の弁及び上記洗浄装置と上記室内機とを接続する配管の弁をそれぞれ開くと共に、上記室内機に流入する冷媒をバイパスさせるバイパス路を形成して上記冷媒を上記洗浄装置及びバイパス路を経て上記圧縮機に流入させる洗浄運転を行ない、
外部から洗浄運転開始の指示が与えられず、かつ、上記終了情報保持部に上記終了情報が保持されていない場合には通常の冷暖房運転としての上記圧縮機の運転を禁止することを特徴とする空気調和装置。
【請求項３】
終了情報保持部は不揮発性メモリからなり、熱源機制御器は洗浄運転の実施による異物捕捉動作の終了後に終了情報を上記終了情報保持部に保持させることを特徴とする請求項１または請求項２記載の空気調和装置。
【請求項４】
熱源機または洗浄装置の運転状況をパソコンに出力するための入出力部を備えた請求項１または請求項２記載の空気調和装置。
【請求項５】
ＬＡＮを介してパソコンに接続し、信号の入出力を上記パソコンと行なうことを特徴とする請求項４記載の空気調和装置。
【発明の詳細な説明】
【０００１】
【発明の属する技術分野】
この発明は、空気調和装置、特に既設の配管等を再利用しながら冷凍機油等が異なる圧縮機・熱源機、室内機への交換を実施する際に異物を除去する空気調和装置に関するものである。
【０００２】
【従来の技術】
従来、一般に用いられているセパレート形の空気調和装置の冷媒回路を図６に示す。この図において、Ａは熱源機であり、圧縮機１，四方弁２，熱源機側熱交換器３，第１の操作弁４，第２の操作弁５，アキュムレータ６を内蔵している。
Ｂは室内機であり、流量調整器７（あるいは流量制御弁７）、及び利用側熱交換器８を備えている。熱源機Ａと室内機Ｂは離れた場所に設置され、第１の接続配管Ｃ、第２の接続配管Ｄにより接続されて、冷凍サイクルを形成する。
第１の接続配管Ｃの一端は熱源機側熱交換器３と第１の操作弁４を介して接続され、第１の接続配管Ｃの他の一端は流量調整器７と接続されている。
第２の接続配管Ｄの一端は四方弁２と第２の操作弁５を介して接続され、第２の接続配管Ｄの他の一端は利用側熱交換器８と接続されている。
また、アキュムレータ６のＵ字管状の流出配管の下部には返油穴６ａが設けられている。
【０００３】
この空気調和装置の冷媒回路と冷媒の流れを図６によって説明する。図中、実線矢印が冷房運転の流れを、破線矢印が暖房運転の流れを示す。
まず、冷房運転の流れを説明する。圧縮機１で圧縮された高温高圧のガス冷媒は四方弁２を経て、熱源機側熱交換器３へと流入し、ここで空気・水など熱源媒体と熱交換して凝縮液化する。凝縮液化した冷媒は第１の操作弁４，第１の接続配管Ｃを経て流量調整器７へ流入し、ここで低圧まで減圧されて低圧二相状態となり、利用側熱交換器８で空気などの利用側媒体と熱交換して蒸発・ガス化する。蒸発・ガス化した冷媒は第２の接続配管Ｄ、第２の操作弁５，四方弁２，アキュムレータ６を経て圧縮機１へ戻る。
【０００４】
次に、暖房運転の流れを説明する。圧縮機１で圧縮された高温高圧のガス冷媒は四方弁２、第２の操作弁５，第２の接続配管Ｄを経て、利用側熱交換器８へと流入し、ここで空気など利用側媒体と熱交換して凝縮液化する。
凝縮液化した冷媒は流量調整器７へ流入し、ここで低圧まで減圧されて低圧二相状態となり、第１の接続配管Ｃ、第１の操作弁４を経て、熱源機側熱交換器３で空気・水などの熱源媒体と熱交換して蒸発・ガス化する。蒸発・ガス化した冷媒は四方弁２，アキュムレータ６を経て圧縮機１へ戻る。
【０００５】
従来、このような空気調和装置の冷媒として、ＣＦＣ（クロロフルオロカーボン）やＨＣＦＣ（ハイドロクロロフルオロカーボン）が用いられてきたが、これらの分子に含まれる塩素が成層圏でオゾン層を破壊するため、ＣＦＣは既に全廃され、ＨＣＦＣも生産規制が開始されている。
これらに代わって、分子に塩素を含まないＨＦＣ（ハイドロフルオロカーボン）を使用する空気調和装置が実用化されている。ＣＦＣやＨＣＦＣを用いた空気調和装置が老朽化した場合、これらの冷媒は全廃あるいは生産規制されているため、ＨＦＣを用いた空気調和装置に入れ替える必要がある。
熱源機Ａと室内機Ｂは、ＨＦＣで使用する冷凍機油・有機材料・熱交換器がＨＣＦＣとは異なるため、ＨＦＣ専用のものと交換する必要があるが、元々ＣＦＣ・ＨＣＦＣ用の熱源機Ａと室内機Ｂは老朽化しているため交換する必要があるものであり、交換も比較的容易である。
【０００６】
一方、熱源機Ａと室内機Ｂを接続する第１の接続配管Ｃと第２の接続配管Ｄは配管長が長い場合や、パイプシャフトや天井裏など建物に埋設されている場合には、新規配管に交換することは困難で、しかも老朽化もしないため、ＣＦＣやＨＣＦＣを用いた空気調和装置で使用していた第１の接続配管Ｃと第２の接続配管Ｄをそのまま使用できれば、配管工事が簡略化できる。
しかし、ＣＦＣやＨＣＦＣを用いた空気調和装置で使用していた第１の接続配管Ｃと第２の接続配管Ｄには、ＣＦＣやＨＣＦＣを用いた空気調和装置の冷凍機油である鉱油やＣＦＣ・ＨＣＦＣや冷凍機油の劣化物がスラッジとなったものが残留している。
このため、従来はＣＦＣやＨＣＦＣを用いた空気調和装置で使用していた第１の接続配管Ｃと第２の接続配管Ｄを、洗浄装置（図示せず）を用いて専用の洗浄液（ＨＣＦＣ１４１ｂやＨＣＦＣ２２５）で洗浄することが行われている（以下、これを洗浄方法１という）。
【０００７】
また、特開平７−８３５４５号公報に開示された方法は、図７にフロー図を示すように、ステップＳ１０で、洗浄装置を用いずに、ＨＦＣ用熱源機Ａ、ＨＦＣ用室内機Ｂを交換して、第１の接続配管Ｃ、第２の接続配管Ｄと接続し、ステップＳ１１で、真空引きしてＨＦＣ、ＨＦＣ用冷凍機油を充填した後、ステップＳ１２で装置を運転することにより洗浄し、その後ステップＳ１３で空気調和装置内の冷媒と冷凍機油を回収すると共に、新しい冷媒と冷凍機油を充填し、その後ステップＳ１４で、再度運転による洗浄を実施し、ステップＳ１２とＳ１３を３回繰り返すことが行なわれている（以下、これを洗浄方法２という）。
【０００８】
【発明が解決しようとする課題】
上述した従来の洗浄方法１では以下に述べるような問題点があった。
第１に、使用する洗浄液がＨＣＦＣであり、オゾン層破壊係数がゼロでないため、空気調和装置の冷媒をＨＣＦＣからＨＦＣへと代替することと矛盾する。
特に、ＨＣＦＣ１４１ｂはオゾン破壊係数が０．１１と大きいため問題である。第２に、使用する洗浄液は可燃性・毒性が完全に安全なレベルではないことがあげられる。ＨＣＦＣ１４１ｂは可燃性で、低毒性である。ＨＣＦＣ２２５は不燃性であるが、低毒性である。第３に、沸点が高く（ＨＣＦＣ１４１ｂは３２℃、ＨＣＦＣ２２５は５１．１〜５６．１℃)、外気温度がこの沸点より低い場合、特に冬期には、洗浄後に洗浄液が液状態で、第１の接続配管Ｃと第２の接続配管Ｄに残留する。これら洗浄液はＨＣＦＣであることから、塩素成分を含んでおり、ＨＦＣ用冷凍機油が劣化する。
第４に、洗浄液は環境上全量回収する必要があり、かつ上記第３の問題点が発生しないように高温の窒素ガスなどで再洗浄するなど、洗浄工事に手間がかかる。
【０００９】
また、従来の洗浄方法２では、以下に述べるような問題点があった。
第１に、ＨＦＣ冷媒による洗浄が、特開平７−８３５４５号公報の場合には３回必要であり、また各洗浄運転で使用したＨＦＣ冷媒は不純物を含むため、回収後その場での再利用は不可能である。つまり、通常の充填冷媒量の３倍の冷媒が必要であり、コスト・環境上の問題がある。
第２に、冷凍機油も各洗浄運転後に入れ替えるため、通常の充填冷凍機油量の３倍の冷凍機油が必要であり、コスト・環境上の問題がある。また、ＨＦＣ用冷凍機油はエステル油またはエーテル油であり、吸湿性が高いため、交換用冷凍機油の水分管理も必要となる。また、冷凍機油を、洗浄する人間が封入するため、過不足が生じる危険性もあり、その後の運転において支障を来たす可能性がある(過充填時は油圧縮による圧縮機破壊、モータ過熱を来たし、不足充填時は潤滑不良を来たす)。
第３に、洗浄作業と冷媒・冷凍機油の交換作業を行なうための設定を人手で行なわなければならないので、手間と人件費を要する。特に、同じ作業を繰り返し行なうため、更に手間がかかることになる。
【００１０】
この発明は、上述した問題点を解消するためになされたもので、環境保護上問題があるとされる冷媒を用いた既設の冷媒回路を、環境保護上問題がないとされる冷媒にコスト・環境上有利に置換することができると共に、置換のための労力を削減し、短時間でスムーズに作業を行なうことができる空気調和装置を提供することを目的とする。
【００１１】
【課題を解決するための手段】
この発明に係る空気調和装置は、圧縮機と熱源機側熱交換機と上記圧縮機で圧縮された冷媒の流路を冷房運転時と暖房運転時とで切換え、上記冷媒が上記熱源機側熱交換器へ流入し得るようにされた四方弁と上記圧縮機および熱源機側熱交換器の制御並びに上記四方弁の切換制御を行なうと共に、洗浄運転の終了情報を記憶する終了情報保持部を有する熱源機制御器とを有し配管を介して室内機に接続された熱源機、および流入した冷媒の異物を捕捉する異物捕捉手段と洗浄装置制御器とを有し、上記配管に設けられた洗浄装置を備えた空気調和装置であって、上記熱源機制御器および上記洗浄装置制御器は、外部から洗浄運転開始の指示が与えられると上記熱源機と上記室内機とを接続する配管の弁を閉じ、上記熱源機と上記洗浄装置とを接続する配管の弁及び上記洗浄装置と上記室内機とを接続する配管の弁をそれぞれ開くと共に、上記室内機に流入する冷媒をバイパスさせるバイパス路を形成して上記冷媒を上記洗浄装置及びバイパス路を経て上記圧縮機に流入させる洗浄運転を行ない、外部から洗浄運転開始の指示が与えられず、かつ、上記終了情報保持部に上記終了情報が保持されていない場合には通常の冷暖房運転を禁止するものである。
【００１２】
この発明に係る空気調和装置は、圧縮機と熱源機側熱交換機と上記圧縮機で圧縮された冷媒の流路を冷房運転時と暖房運転時とで切換え、上記冷媒が上記熱源機側熱交換器へ流入し得るようにされた四方弁と上記圧縮機および熱源機側熱交換器の制御並びに上記四方弁の切換制御を行なうと共に、洗浄運転の終了情報を記憶する終了情報保持部を有する熱源機制御器とを有し配管を介して室内機に接続された熱源機、および流入した冷媒の異物を捕捉する異物捕捉手段と洗浄装置制御器とを有し、上記配管に設けられた洗浄装置を備えた空気調和装置であって、上記熱源機制御器および上記洗浄装置制御器は、外部から洗浄運転開始の指示が与えられると上記熱源機と上記室内機とを接続する配管の弁を閉じ、上記熱源機と上記洗浄装置とを接続する配管の弁及び上記洗浄装置と上記室内機とを接続する配管の弁をそれぞれ開くと共に、上記室内機に流入する冷媒をバイパスさせるバイパス路を形成して上記冷媒を上記洗浄装置及びバイパス路を経て上記圧縮機に流入させる洗浄運転を行ない、外部から洗浄運転開始の指示が与えられず、かつ、上記終了情報保持部に上記終了情報が保持されていない場合には通常の冷暖房運転としての上記圧縮機の運転を禁止するものである。
【００１３】
この発明に係る空気調和装置は、また、終了情報保持部は不揮発性メモリからなり、熱源機制御器は洗浄運転の実施による異物捕捉動作の終了後に終了情報を上記終了情報保持部に保持させるものである。
【００１４】
この発明に係る空気調和装置は、また、熱源機または洗浄装置の運転状況をパソコンに出力するための入出力部を備えたものである。
【００１５】
この発明に係る空気調和装置は、また、ＬＡＮを介してパソコンに接続し、信号の入出力を上記パソコンと行なうものである。
【００２２】
【発明の実施の形態】
実施の形態１．
以下、この発明の実施の形態１を図にもとづいて説明する。
図１は、実施の形態１の構成を示す冷媒回路図で、洗浄装置を接続した状態を示すものである。なお、この冷媒回路は、冷媒としてＣＦＣやＨＣＦＣ（以下、旧冷媒という）を使用しているものである。
この図において、Ａは熱源機であり、圧縮機１，四方弁２，熱源機側熱交換器３，第１の操作弁４，第２の操作弁５，アキュムレータ６を内蔵している。
Ｂは室内機であり、流量調整器７（あるいは流量制御弁７）、及び利用側熱交換器８を備えている。熱源機Ａと室内機Ｂは離れた場所に設置され、第１の接続配管Ｃと、これに接続された第３の接続配管ＣＣ、及び第２の接続配管Ｄと、これに接続された第４の接続配管ＤＤにより接続されて、冷凍サイクルを形成する。第３の接続配管ＣＣの端部は、熱源機側熱交換器３と第１の操作弁４及び第３の操作弁９ａを介して接続され、第１の接続配管Ｃの端部は、流量調整器７と接続されている。第４の接続配管ＤＤの端部は、四方弁２と第２の操作弁５及び第４の操作弁９ｂを介して接続され、第２の接続配管Ｄの端部は、利用側熱交換器８と接続されている。
また、アキュムレータ６のＵ字管状の流出配管の下部には返油穴６ａが設けられている。
【００２３】
Ｅは冷媒回路を洗浄するための洗浄装置で、熱源機Ａの近傍に設けられ、以下に述べる各装置によって構成されている。即ち、１０ａ、１０ｂ、１０ｃ、１０ｄはそれぞれ洗浄装置の冷媒流入部あるいは流出部を構成する電磁弁で、１０ａと１０ｂは第３の操作弁９ａの両側で第３の接続配管ＣＣに接続され、１０ｃと１０ｄは第４の操作弁９ｂの両側で第４の接続配管ＤＤに接続されている。
１１は電磁弁１０ａと１０ｃとの間に接続された第１の切換弁で、熱源機側熱交換器３の冷房運転時の出口端、即ち、第１の操作弁４及び電磁弁１０ａから洗浄装置内への冷媒の流通は許容するが、その逆は許容しないように設けられた逆止弁１１ａと、四方弁２の暖房運転時の出口端、即ち、第２の操作弁５及び電磁弁１０ｃから洗浄装置内への冷媒の流通は許容するが、その逆は許容しないように設けられた逆止弁１１ｂと、後述する異物捕捉装置の出口端から電磁弁１０ａへの冷媒の流通は許容するが、その逆は許容しないように設けられた逆止弁１１ｃと、異物捕捉装置の出口端から電磁弁１０ｃへの冷媒の流通は許容するが、その逆は許容しないように設けられた逆止弁１１ｄとから構成され、電気信号によらず、各接続端の圧力により自己切換を行なう切換弁である。
【００２４】
１２は油分離器で、圧縮機１から冷媒とともに吐出される冷凍機油を分離する。１２ａは油分離器１２の底部より端を発するバイパスである。
１３は高温高圧のガス冷媒を冷却・液化する冷却装置、１４は冷却装置１３に接続された第１の流量調整装置、１５は四方弁からなる第２の切換弁、１６は第２の切換弁１５に接続され冷媒を低圧まで減圧する第２の流量調整装置、１７は低圧二相冷媒をガス化する加熱装置、１８は上記加熱装置１７の出口部に直列に設けられた異物捕捉装置である。
なお、上記冷却装置１３の冷却源は、空気、水のいずれでもよく、上記加熱装置１７の加熱源は空気、水のいずれでも、あるいはヒーターでもよい。
また、冷却装置１３と加熱装置１７は、第１の切換弁１１と第２の切換弁１５に挟まれた高温高圧側の配管と低温低圧側の配管を熱的に接触させて、例えば、二重管の外側を高温高圧側の配管、内側を低温低圧側の配管で構成し、加熱装置１７と冷却装置１３との間で熱移動させるようにしてもよい。
【００２５】
洗浄装置Ｅは以上のように構成され、電磁弁１０ａ〜１０ｄにより、第３及び第４の接続配管ＣＣ及びＤＤを経て冷凍サイクル装置に着脱可能に接続されている。また、Ｆは室内機Ｂの近傍で室内機Ｂに並列的に接続されるバイパス路で、以下に述べる各装置によって構成されている。即ち、１９ａは第１の接続配管Ｃと流量調整器７との間に設けられた流量調整器側電磁弁、１９ｂは第２の接続配管Ｄと利用側熱交換器８との間に設けられた熱交換器側電磁弁、１９ｃは流量調整器側電磁弁１９ａの第１の接続配管Ｃ側の接続端と熱交換器側電磁弁１９ｂの第２の接続配管Ｄ側の接続端とを接続するバイパス用電磁弁である。
【００２６】
また、２０は熱源機Ａを制御する熱源機制御器で、制御部２１と通信部２２とを有し、制御部２１は熱源機Ａ全体の制御、例えば圧縮機１、熱源機側熱交換器３の送風機、四方弁２の弁切り換え等の運転制御を行なう。
また、通信部２２は後述する洗浄装置制御器、室内機制御器及びバイパス路制御器にそれぞれ設けられる通信部と伝送線によって接続され、各制御器との間で相互に制御情報を伝達し得るようにされている。３０は洗浄装置Ｅを制御する洗浄装置制御器で、制御部３１と通信部３２と外部信号源６０に接続された入出力部３３とを有し、制御部３１は洗浄装置Ｅの電磁弁１０ａ〜１０ｄの開閉等の運転制御を行なう。入出力部３３は外部信号源６０から与えられる洗浄運転のコマンド信号を受け、この信号を通信部３２を介して制御部３１に伝達すると共に、熱源機制御器２０の通信部２２及び後述する他の制御器の通信部を介してそれぞれの制御部に洗浄運転のコマンド信号を伝達し、それぞれの制御部で洗浄運転に関係する部分の運転制御を行なうものである。
【００２７】
４０は室内機Ｂを制御する室内機制御器で、制御部４１と通信部４２とを有し、制御部４１は利用側熱交換器８の送風機や流量調整器７等の運転制御を行なう。通信部４２は洗浄装置制御器３０からの洗浄運転のコマンド信号を受けて制御部４１に伝達するものである。
５０はバイパス路Ｆを制御するバイパス路制御器で、制御部５１と通信部５２とを有し、制御部５１は洗浄装置制御器３０からの洗浄運転のコマンド信号を通信部５２経由で受けて、流量調整器側電磁弁１９ａ、熱交換器側電磁弁１９ｂ及びバイパス用電磁弁１９ｃの制御を行なうものである。なお、６１は各制御器の通信部間を接続する伝送線である。
【００２８】
次に、図１に示す冷媒回路の旧冷媒をＨＦＣ（以下、新冷媒という）に置換する手順について説明する。
まず、図１に示す冷媒回路から旧冷媒を回収し、熱源機Ａと室内機Ｂを取り外す。この場合、旧冷媒と新冷媒の制御信号の伝送手段や伝送用配線が異なる場合には、旧冷媒で冷媒回路の運転切換スイッチとして使用していたリモコン及び伝送用配線も取り外す。
【００２９】
次いで、熱源機Ａ、室内機Ｂ及びリモコン並びに伝送用配線を新冷媒用のものに取り換える。しかし、第１の接続配管Ｃ及び第２の接続配管Ｄは旧冷媒の冷媒回路のものを再利用し、第３の接続配管ＣＣと第４の接続配管ＤＤは新規に敷設する。次いで、洗浄装置Ｅを冷媒回路に接続すると共に、バイパス路Ｆを室内機Ｂに接続する。洗浄装置Ｅの接続は電磁弁１０ａ、１０ｂを第３の接続配管ＣＣに、かつ、電磁弁１０ｃ、１０ｄを第４の接続配管ＤＤに接続し、バイパス路Ｆは第１の接続配管Ｃ、第２の接続配管Ｄをそれぞれ流量調整器側電磁弁１９ａ、熱交換器側電磁弁１９ｂを介して室内機Ｂに接続すると共に、バイパス用電磁弁１９ｃを流量調整器側電磁弁１９ａの第１の接続配管Ｃ側の接続端及び熱交換器側電磁弁１９ｂの第２の接続配管Ｄ側の接続端に接続してバイパス冷媒回路を形成する。
【００３０】
更に、洗浄運転のコマンド信号供給源として、また、洗浄運転及び冷媒回路の試運転状況を即時に把握するため、パーソナルコンピュータ（以下、ＰＣという）を洗浄装置制御器３０の外部信号源６０に接続する。
熱源機Ａには予め新冷媒が充填されているので、第１の操作弁４と第２の操作弁５は閉じたまま、室内機Ｂ、第１の接続配管Ｃ、第２の接続配管Ｄ、第３の接続配管ＣＣ、第４の接続配管ＤＤ、洗浄装置Ｅ及びバイパス路Ｆを接続状態で真空引きした後、第１の操作弁４と第２の操作弁５の開弁と新冷媒の追加充填を実施する。その後、ＰＣを操作して洗浄運転のコマンド信号を与えることにより、この信号が洗浄装置制御器３０の通信部３２から各制御器の通信部２２、４２、５２を経て各制御器の制御部２１、３１、４１、５１に与えられ、第３、第４の操作弁９ａ、９ｂを閉弁し、洗浄装置Ｅの各電磁弁１０ａ〜１０ｄを開弁し、流量調整器側電磁弁１９ａ及び熱交換器側電磁弁１９ｂを閉弁し、バイパス用電磁弁１９ｃを開弁して所定時間、洗浄運転を実施する。
【００３１】
以下、図１にもとづいて洗浄運転について説明する。図中、実線矢印は冷房洗浄運転の流れを、また、破線矢印は暖房洗浄運転の流れを示す。
まず、冷房洗浄運転について説明する。圧縮機１で圧縮された高温高圧のガス冷媒は新冷媒用の冷凍機油と共に圧縮機１から吐出され、四方弁２を経て熱源機側熱交換器３へと流入し、ここで空気・水等の熱源媒体と熱交換せずに通過し、第１の操作弁４、洗浄装置の電磁弁１０ａ及び第１の切換弁１１の逆止弁１１ａを経て油分離器１２へ流入する。ここで、新冷媒用の冷凍機油は完全に分離され、ガス冷媒のみが冷却装置１３に流入し、ここで凝縮液化して第１の流量調整装置１４で少し減圧されて気液二相状態となる。この気液二相状態の冷媒は、第２の切換弁１５、電磁弁１０ｂを経て第１の接続配管Ｃに流入する。
【００３２】
気液二相状態の新冷媒が第１の接続配管Ｃを流れる時に、 第１の接続配管Ｃに残留している旧冷媒・鉱油・鉱油劣化物（以下、残留異物という）を気液二相状態のため比較的早く洗浄し、気液二相の新冷媒と共に流れ、 バイパス用電磁弁１９ｃを経て、 第１の接続配管Ｃの残留異物と共に第２の接続配管Ｄに流入する。第２の接続配管Ｄに残留している残留異物は、ここを流れる冷媒が気液二相状態のため、流速も早く、かつ液冷媒と共に残留異物は洗浄され、比較的早い速度で洗浄される。その後、気液二相状態の冷媒は、第１の接続配管Ｃの残留異物と第２の接続配管Ｄの残留異物と共に、電磁弁１０ｄ、第２の切換弁１５を経て第２の流量調整装置１６で低圧まで減圧されて、加熱装置１７へ流入し、ここで蒸発・ガス化され、異物捕捉装置１８へ流入する。
【００３３】
残留異物は、沸点の違いにより相が異なり、固体異物・液体異物・気体異物の３種類に分類される。異物捕捉装置１８では、固体異物と液体異物は完全にガス冷媒分離され捕捉される。気体異物はその一部が捕捉され、一部は捕捉されない。その後、ガス冷媒は、異物捕捉装置１８で捕捉されなかった気体異物と共に第１の切換弁１１の逆止弁１１ｄ、電磁弁１０ｃ、第２の操作弁５、四方弁２，アキュムレータ６を経て圧縮機１へ戻る。油分離器１２で、ガス冷媒と完全に分離された新冷媒用冷凍機油は、バイパス１２ａを経て、異物捕捉装置１８の下流側で本流と合流して圧縮機１へ戻るので、第１の接続配管Ｃや第２の接続配管Ｄに残留していた固体・液体異物と混ざることはなく、新冷媒用冷凍機油は新冷媒に対して非相溶化することはなく、また新冷媒用冷凍機油は固体・液体異物により劣化することはない。
【００３４】
また、気体異物は新冷媒が冷媒回路を１サイクル循環して、異物捕捉装置１８を１回通る間には一部が捕捉されるだけで、新冷媒用冷凍機油と気体異物は混合されるが新冷媒用冷凍機油の劣化は化学反応で急激には進まない。
従って、異物捕捉装置１８を１回通る間に捕捉できなかった気体異物は新冷媒の循環と共に何回も異物捕捉装置１８を通るので、新冷媒用冷凍機油の劣化するよりも早く異物捕捉装置１８で捕捉すればよい。
【００３５】
冷房洗浄運転が終了すると、所定時間経過後に洗浄装置制御器３０は暖房洗浄運転に切り換える。即ち、洗浄装置制御器３０の制御部３１は通信部３２を経由して熱源機制御器２０に四方弁２の切り換え信号を送る。熱源機制御器２０の制御部２１は圧縮機１を一旦停止させた後、四方弁２を暖房用に切り換え、再度圧縮機１を起動させて暖房洗浄運転に移行する。
【００３６】
次に、暖房洗浄運転の流れを説明する。圧縮機１で圧縮された高温高圧のガス冷媒は新冷媒用冷凍機油と共に圧縮機１から吐出され、四方弁２，第２の操作弁５，電磁弁１０ｃ、第１の切換弁１１の逆止弁１１ｂを経て、油分離機１２へ流入する。ここで、新冷媒用の冷凍機油は完全に分離され、ガス冷媒のみが冷却装置１３に流入し、ここで凝縮液化して、第１の流量調整装置１４で少し減圧されて気液二相状態となる。この気液二相状態の冷媒は、第２の切換弁１５、電磁弁１０ｄを経て第２の接続配管Ｄに流入する。第２の接続配管Ｄに残留している残留異物は、ここを流れる冷媒が気液二相状態のため、流速も早く、かつ液冷媒と共に残留異物は洗浄され、比較的早い速度で洗浄される。その後、気液二相状態の冷媒は、第２の接続配管Ｄの残留異物と共にバイパス用電磁弁１９ｃを経て、第１の接続配管Ｃに流入する。ここでは、気液二相状態のため、流速も早く、かつ液冷媒と共に残留異物は洗浄され、比較的早い速度で洗浄される。 第２の接続配管Ｄと第１の接続配管Ｃの残留異物と共に、気液二相状態の冷媒は、電磁弁１０ｂ、第２の切換弁１５を経て、第２の流量調整装置１６で低圧まで減圧されて、加熱装置１７へ流入し、ここで蒸発・ガス化され、異物捕捉装置１８へ流入する。
【００３７】
残留異物は、沸点の違いにより相が異なり、固体異物・ 液体異物・ 気体異物の３種類に分類される。異物捕捉装置１８では、固体異物と液体異物は完全にガス冷媒分離され捕捉される。気体異物はその一部が捕捉され、一部は捕捉されない。その後、ガス冷媒は、異物捕捉装置１８で捕捉されなかった気体異物と共に第１の切換弁１１の逆止弁１１ｃ、電磁弁１０ａを経て、熱源機側熱交換器３へ流入し、熱交換させずに通過させ、アキュムレータ６を経て圧縮機１へ戻る。
油分離器１２で、ガス冷媒と完全に分離された新冷媒用冷凍機油は、バイパス１２ａを経て、異物捕捉装置１８の下流側で本流と合流して圧縮機１へ戻るので、第１の接続配管Ｃや第２の接続配管Ｄに残留していた固体・液体異物と混ざることはなく、新冷媒用冷凍機油は新冷媒に対して非相溶化することはなく、また新冷媒用冷凍機油は固体・液体異物により劣化することはない。
また、気体異物は新冷媒が冷媒回路を１サイクル循環して、異物捕捉装置１８を１回通る間には一部が捕捉されるだけで、新冷媒用冷凍機油と気体異物は混合されるが新冷媒用冷凍機油の劣化は化学反応で急激には進まない。
従って、異物捕捉装置１８を１回通る間に捕捉できなかった気体異物は新冷媒の循環と共に何回も異物捕捉装置１８を通るので、新冷媒用冷凍機油の劣化するよりも早く異物捕捉装置１８で捕捉すればよい。
【００３８】
暖房洗浄運転が終了すると、所定時間経過後に洗浄装置制御器３０は試運転を行なう。即ち、洗浄装置制御器３０は制御部３１によって第３、第４の操作弁９ａ、９ｂを開弁すると共に、洗浄装置Ｅの各電磁弁１０ａ〜１０ｄを閉弁し、また、通信部３２からバイパス路制御器５０の通信部５２を経て制御部５１からの信号によりバイパス路Ｆの電磁弁１９ａ、１９ｂを開弁し、バイパス用電磁弁１９ｃを閉弁して新冷媒による冷媒回路の試運転が行なえるようにする。
【００３９】
以下、試運転及び通常空調運転について図１にもとづいて説明する。
まず、冷房試運転及び空調運転について説明する。圧縮機１で圧縮された高温高圧のガス冷媒は新冷媒用冷凍機油と共に圧縮機１から吐出され、四方弁２を経て、熱源機側熱交換器３へと流入し、ここで空気・水等の熱源媒体と熱交換して凝縮液化する。凝縮液化した冷媒は、第１の操作弁４，第３の操作弁９ａ、第３及び第１の接続配管ＣＣ、Ｃ、流量調整器側電磁弁１９ａを経て、流量調整器７へ流入し、ここで低圧まで減圧されて低圧二相状態となり、利用側熱交換器８で空気等の利用側媒体と熱交換して蒸発・ガス化する。蒸発・ガス化した冷媒は、熱交換器側電磁弁１９ｂ、第２及び第４の接続配管Ｄ、ＤＤ、第４の操作弁９ｂ、第２の操作弁５，四方弁２，アキュムレータ６を経て圧縮機１へ戻る。
また、電磁弁１０ａ〜１０ｄは閉じられており、異物捕捉装置１８は閉鎖空間として隔離されているので、 洗浄運転中に捕捉した残留異物が再び冷媒回路中に戻ることがなく、また、冷媒が異物捕捉装置１８を経由していないため、圧縮機１の吸入圧力損失が小さく、能力の低下が小さい。
【００４０】
次に、暖房試運転及び空調運転について説明する。圧縮機１で圧縮された高温高圧のガス冷媒は新冷媒用冷凍機油と共に圧縮機１から吐出され、四方弁２を経て第２の操作弁５に流入し、第４の操作弁９ｂ、第４及び第２の接続配管ＤＤ、Ｄ、熱交換器側電磁弁１９ｂを経て利用側熱交換器８へと流入し、ここで空気等の利用側媒体と熱交換して凝縮液化する。
凝縮液化した冷媒は、流量調整器７へ流入し、ここで低圧まで減圧されて低圧二相状態となり、流量調整器側電磁弁１９ａ、第１及び第３の接続配管Ｃ、ＣＣ、第３の操作弁９ａ、第１の操作弁４，熱源機側熱交換器３へ流入し、ここで空気・水等の熱源側媒体と熱交換して蒸発・ガス化する。蒸発・ガス化した冷媒は、四方弁２，アキュムレータ６を経て圧縮機１へ戻る。
【００４１】
また、電磁弁１０ａ〜１０ｄは閉じられており、異物捕捉装置１８は閉鎖空間として隔離されているので、 洗浄運転中に捕捉した残留異物が再び冷媒回路中に戻ることがなく、また、冷媒が異物捕捉装置１８を経由していないため、圧縮機１の吸入圧力損失が小さく、能力の低下が小さい。また、冷却装置１３へは冷媒が流れないので、暖房能力のロスもない。
なお、第３、第４の操作弁９ａ、９ｂ及び流量調整器側電磁弁１９ａ並びに熱交換器側電磁弁１９ｂは電気信号により閉路する電磁弁であるため、洗浄運転時のみ通電し、試運転及び空調運転時には通電しない。また、バイパス用電磁弁１９ｃは電気信号により開路する電磁弁であるため、これも洗浄運転時にのみ通電すればよいことから弁の切換が最低限ですむことになる。
また、ＰＣに接続していることで冷房・暖房の運転状態に異常がないか容易に把握することが出来る。
【００４２】
次に、洗浄装置Ｅ内の冷媒を回収し、洗浄装置Ｅを電磁弁の部分で冷媒回路から取り外し、異物捕捉装置１８内の残留異物を排出することで洗浄装置Ｅを再利用する。そして、電磁弁１０ａ〜１０ｄの接続端に異物流入防止のため、キャップをする。バイパス路Ｆは、冷媒回路に接続したままとする。
その後、通常空調運転を１週間程度経過した後、熱源機Ａから少量の新冷媒用冷凍機油を採取し、新冷媒用冷凍機油の汚染状況を測定し、所定の基準値を越えていれば新冷媒用冷凍機油を追加あるいは交換をする。新冷媒用冷凍機油の劣化は化学反応であり希釈することで、反応を抑制することが出来る。
【００４３】
実施の形態１は、以上のように、油分離器１２と異物捕捉装置１８とを洗浄装置Ｅに内蔵することで、熱源機Ａと室内機Ｂのみを新規に交換し、 第１の接続配管Ｃと第２の接続配管Ｄを交換しないで、 老朽化した旧冷媒を用いた冷媒回路を新冷媒を用いた冷媒回路に入れ替えることができる。
この実施の形態では、既設配管の再利用方法として、従来の洗浄方法１とは違って、洗浄装置を用いて専用の洗浄液（ＨＣＦＣ１４１ｂやＨＣＦＣ２２５）で洗浄するということをしないので、オゾン層破壊の恐れは全くなく、また、可燃性・毒性も皆無で、洗浄液残留の懸念もなく、洗浄液を回収する必要もない。
また、従来の洗浄方法２と違って、洗浄運転を３回繰り返して新冷媒や新冷媒用冷凍機油を入れ替える必要がないため、 必要な新冷媒や冷凍機油は１台分で済み、コスト・環境上も有利である。また、交換用冷凍機油の管理も不要で、かつ冷凍機油過不足の危険性も全く発生しない。また、新冷媒用冷凍機油の非相溶化や冷凍機油の劣化の恐れもない。
更に、洗浄装置制御器が各制御器の操作を指示するので、一度運転を開始した後は一切人手が不要となり、作業効率が向上する。
【００４４】
また、洗浄装置Ｅの冷媒流入部及び流出部に電磁弁１０ａ〜１０ｄを設けたことにより、洗浄運転時には異物捕捉装置１８を通過して上述した洗浄効果を得つつ、洗浄運転後の試運転時には、電磁弁１０ａ〜１０ｄを閉じ、異物捕捉装置１８を閉鎖空間として隔離することができるので、 洗浄運転中に捕捉した異物が再び冷媒回路中に戻ることがない。
また、洗浄装置の流入部、流出部に設けた電磁弁１０ａ〜１０ｄがそれぞれ電気的に開閉されるため、洗浄装置制御器の指示にもとづいて、洗浄運転から試運転まで自動的に冷媒回路の切換をすることができる。また、冷媒が異物捕捉装置１８を経由しないため、圧縮機１の吸入圧力損失が小さく、能力低下も小さい。
更に、洗浄装置Ｅに冷却装置１３、加熱装置１７、第１及び第２の切換弁１１、１５を設けたことにより、冷房・暖房に係わらず、洗浄運転時に第１の接続配管Ｃ、第２の接続配管Ｄに気液二相冷媒もしくは液冷媒を流すことができるため、残留異物の洗浄効果が高く、洗浄時間を短くすることができる。
【００４５】
また、冷却装置１３、加熱装置１７により熱交換量を制御できるので、外気温度や室内の負荷に関係なく、任意の条件でほぼ同一の洗浄運転が可能であり、効果・手間が一定化する。
また、第１の流量調整装置１４と第２の流量調整装置１６を設けたので、第１の接続配管Ｃ、第２の接続配管Ｄを流れる冷媒を必ず気液二相状態とすることができ、更に、残留異物を洗浄するのに洗浄効果が高く、洗浄時間を短くすることができる。また、第１の接続配管Ｃ、第２の接続配管Ｄを流れる気液二相冷媒の圧力と乾き度も制御できるので、さらに任意の条件でほぼ同一の洗浄運転が可能であり、効果・手間が一定化する。
また、バイパス路Ｆを設けたので、第１の接続配管Ｃ、第２の接続配管Ｄを流れる冷媒の状態をほぼ同じにすることができ、均一な洗浄運転が可能で、効果・手間が一定化する。また、残留異物が新しい室内機Ｂに流入することがないので、室内機Ｂの汚染を防ぐことができる。
【００４６】
また、油分離器１２、バイパス１２ａ、冷却装置１３、加熱装置１７、異物捕捉装置１８、第１の切換弁１１、第２の切換弁１５、第１の流量調整装置１４、第２の流量調整装置１６を洗浄装置Ｅに内蔵したため、熱源機Ａを小型化・低コスト化することができる。また、熱源機Ａは、第１の接続配管Ｃ、第２の接続配管Ｄを新規に敷設する場合にも共通の熱源機とすることができる。
また、 洗浄装置Ｅは、電磁弁１０ａ〜１０ｄの部分で冷媒回路から着脱可能になっているので、 洗浄運転後にこれら電磁弁を閉じてから洗浄装置Ｅの内部の冷媒を回収して冷媒回路から取り外し、他の同様の冷媒回路に取り付けて繰り返し洗浄運転を実施することができる。これらの電磁弁は自動的に開閉させることが可能なため、洗浄運転と試運転時の切換ミスをすることが少なくなり、手間を省くことができる。
【００４７】
なお、上述の実施の形態１では、室内機Ｂが１台接続された例について説明したが、室内機Ｂが並列または直列に複数台接続された冷媒回路でも同様の効果を奏することは言うまでもない。また、熱源機側熱交換器３と直列または並列に氷蓄熱槽や水蓄熱槽（湯を含む）が設置されても同様の効果を奏することは明らかである。また、 熱源機Ａが複数台並列に接続された冷媒回路においても同様の効果を期待することができる。更に、この実施の形態は、蒸気圧縮式の冷凍サイクル応用品で、熱源機側熱交換器が内蔵されたユニットと利用側熱交換器が内蔵されたユニットが離れて設置されているような場合にも適用することができ、同様な効果を期待することができる。
また、この実施の形態では、洗浄装置Ｅは一つの冷媒回路に１個だけ設置されるケースを示したが、複数個設置されていても同様の効果を奏することは明らかである。
【００４８】
実施の形態２．
次に、 この発明の実施の形態２を図にもとづいて説明する。
図２は、実施の形態２の構成を示すものであるが、冷媒回路は図１と同様であるため省略して制御器の構成のみを示すブロック図である。図２において、図１と同一または相当部分には同一符号を付して説明を省略する。
図２において、２３は異物除去を含む洗浄運転の実施終了情報を記憶する不揮発性メモリ等からなる終了情報保持部、２４は終了情報保持部２３における実施終了情報の有無をチェックする運転禁止指令部で、実施終了情報がない場合に冷媒回路の通常運転あるいは圧縮機の運転のみを禁止する指令を発するものである。また、２５はＳ／Ｗによって構成され、外部からのコマンド信号にもとづいて各種センサ（図示せず）の検出値を返送したり、洗浄装置の運転時に弁等のアクチュエータを動作させるためのプログラムを備えた特殊モード設定部である。
また、３４は異物除去を含む洗浄運転全体を司る洗浄運転制御部、４３は室内機制御器４０に設けられた特殊モード設定部で、上述した熱源機制御器２０の特殊モード設定部２５と同様に構成されている。
【００４９】
次に、実施の形態２の制御動作を図３のフローチャートを用いて説明する。
ステップＳ１０にて運転を開始し、ステップＳ１１で外部信号源６０からのコマンド信号による洗浄運転を実施するか否か判断する。
洗浄運転する場合は、ステップＳ１２で各制御器の特殊モード設定部２５、４３を動作させて必要な弁等の開閉を行い、ステップＳ１３で洗浄装置制御器４０の洗浄運転制御部３４を動作させて洗浄運転を実施する。ステップＳ１４で正常に洗浄運転が完了した場合は、ステップＳ１５で熱源機制御器２０の終了情報保持部２３の不揮発性メモリ等に洗浄終了情報を保持し、ステップＳ１６で試運転終了とする。また、ステップＳ１４で正常に洗浄運転が完了しなかった場合はステップＳ１３に戻る。また、ステップＳ１１で洗浄運転でない場合には、ステップＳ１７で熱源機制御器２０の終了情報保持部２３の不揮発性メモリ等に洗浄終了情報が保持されているかどうかを確認し、洗浄終了情報が保持されている場合にはステップＳ１８で通常空調運転を行なう。ステップＳ１７で洗浄終了情報が保持されていない場合には、ステップＳ１９で熱源機制御器２０の運転禁止指令部２４を動作させて冷媒回路の運転禁止、または圧縮機のみを運転禁止とする。このように構成することにより、洗浄装置制御器が各制御器に操作を指示するため、一度運転を開始した後は、一切人手が不要となり作業効率が向上する他、最小限の制御機器で洗浄運転が実施可能となる。
また、このように動作させることにより、洗浄運転正常終了前に通常の冷暖制御運転をすることを防止し、機器の損傷を防止することが可能である。
【００５０】
実施の形態３．
次に、この発明の実施の形態３を図にもとづいて説明する。図４は、実施の形態３の構成を示すものであるが、冷媒回路は図１と同様であるため省略して制御器の構成のみを示すブロック図である。図４において、図２と同一または相当部分には同一符号を付して説明を省略する。
図２と異なる点は、ＰＣ等を接続した外部制御器７０を設け、この制御器７０の通信部７１を洗浄装置制御器３０の通信部３２に接続すると共に、図２では洗浄装置制御器３０に設けていた洗浄運転制御部３４を外部制御器７０内に設け、通信部７１及び３２を介して各制御器と接続するようにした点である。
このような構成とすることにより、外部制御器７０から特殊モード設定部２５及び４３を含む各制御器を操作することが可能となり、洗浄運転を実施することができる。また、このように動作させることにより、洗浄運転正常終了前に通常の冷暖制御運転をすることを防止し、機器の損傷を防止することが可能である。更に、洗浄運転のアルゴリズムを外部制御器７０に備えることにより、洗浄対象が異なる場合にも同じ洗浄装置及びバイパス装置を適用することができる。
【００５１】
実施の形態４．
次に、この発明の実施の形態４を図にもとづいて説明する。図５は、実施の形態４の構成を示すものであるが、冷媒回路は図１と同様であるため省略して制御器の構成のみを示すブロック図である。図５において、図４と同一または相当部分には同一符号を付して説明を省略する。
図４と異なる点は、洗浄装置制御器３０に第２通信部３５を設けて通信部３２に接続すると共に、外部制御器７０にも第２通信部７２を設け、これを洗浄装置制御器３０の第２通信部３５と接続し、外部制御器７０の洗浄運転制御部３４からのコマンド信号を与えるようにした点である。
このような構成とすることにより、第２通信部７２を汎用のＬＡＮ等のＢＯＳ系統に接続することができ、このＢＯＳ系統からインターネット等を介して洗浄運転のコマンド信号を与えることができるため、遠隔操作で洗浄運転を実施することが可能となる。なお、第２通信部を設ける制御器は、洗浄装置制御器３０に限られるものではなく、その他のいずれかの制御器、即ち、熱源機制御器２０、室内機制御器４０またはバイパス路制御器５０に設けても同様な効果を期待することができる。
また、異なる通信手段体系をもつ空調機システムに対しても適用可能であるため、外部制御器の汎用性を高めることができる。
【００５２】
【発明の効果】
この発明に係る空気調和装置は、圧縮機と熱源機側熱交換機と上記圧縮機で圧縮された冷媒の流路を冷房運転時と暖房運転時とで切換え、上記冷媒が上記熱源機側熱交換器へ流入し得るようにされた四方弁と上記圧縮機および熱源機側熱交換器の制御並びに上記四方弁の切換制御を行なうと共に、洗浄運転の終了情報を記憶する終了情報保持部を有する熱源機制御器とを有し配管を介して室内機に接続された熱源機、および流入した冷媒の異物を捕捉する異物捕捉手段と洗浄装置制御器とを有し、上記配管に設けられた洗浄装置を備えた空気調和装置であって、上記熱源機制御器および上記洗浄装置制御器は、外部から洗浄運転開始の指示が与えられると上記熱源機と上記室内機とを接続する配管の弁を閉じ、上記熱源機と上記洗浄装置とを接続する配管の弁及び上記洗浄装置と上記室内機とを接続する配管の弁をそれぞれ開くと共に、上記室内機に流入する冷媒をバイパスさせるバイパス路を形成して上記冷媒を上記洗浄装置及びバイパス路を経て上記圧縮機に流入させる洗浄運転を行ない、外部から洗浄運転開始の指示が与えられず、かつ、上記終了情報保持部に上記終了情報が保持されていない場合には通常の冷暖房運転を禁止するようにされているため、既設の配管等を再利用しながら冷凍機油等が異なる圧縮機、熱源機への交換を実施する際に、洗浄運転を行なって配管内の異物を捕捉することができる他、少ない制御機器で洗浄運転を実施することができる。
【００５３】
この発明に係る空気調和装置は、また、圧縮機と熱源機側熱交換機と上記圧縮機で圧縮された冷媒の流路を冷房運転時と暖房運転時とで切換え、上記冷媒が上記熱源機側熱交換器へ流入し得るようにされた四方弁と上記圧縮機および熱源機側熱交換器の制御並びに上記四方弁の切換制御を行なうと共に、洗浄運転の終了情報を記憶する終了情報保持部を有する熱源機制御器とを有し配管を介して室内機に接続された熱源機、および流入した冷媒の異物を捕捉する異物捕捉手段と洗浄装置制御器とを有し、上記配管に設けられた洗浄装置を備えた空気調和装置であって、上記熱源機制御器および上記洗浄装置制御器は、外部から洗浄運転開始の指示が与えられると上記熱源機と上記室内機とを接続する配管の弁を閉じ、上記熱源機と上記洗浄装置とを接続する配管の弁及び上記洗浄装置と上記室内機とを接続する配管の弁をそれぞれ開くと共に、上記室内機に流入する冷媒をバイパスさせるバイパス路を形成して上記冷媒を上記洗浄装置及びバイパス路を経て上記圧縮機に流入させる洗浄運転を行ない、外部から洗浄運転開始の指示が与えられず、かつ、上記終了情報保持部に上記終了情報が保持されていない場合には通常の冷暖房運転としての上記圧縮機の運転を禁止するようにされているため、洗浄装置制御器が各制御器を操作する結果、一度運転を開始した後は一切人手が不要となり、作業効率が向上する。
【００５５】
この発明に係る空気調和装置は、また、熱源機制御器に、不揮発性メモリ等からなる終了情報保持部を設け、洗浄運転の実施による異物捕捉動作の終了後に、終了情報を終了情報保持部に保持させるようにしたため、洗浄運転の正常終了前に通常の冷暖制御運転をすることを防止し、機器の損傷を防止することができる。
【図面の簡単な説明】
【図１】  この発明の実施の形態１の構成を示す冷媒回路図である。
【図２】  この発明の実施の形態２の制御器の構成を示すブロック図である。
【図３】  実施の形態２の制御動作を示すフローチャートである。
【図４】  この発明の実施の形態３の制御器の構成を示すブロック図である。
【図５】  この発明の実施の形態４の制御器の構成を示すブロック図である。
【図６】  従来の空気調和装置の構成を示す冷媒回路図である。
【図７】  従来の空気調和装置における洗浄方法を説明するためのフローチャートである。
【符号の説明】
Ａ  熱源機、    Ｂ  室内機、    Ｃ  第１の接続配管、    ＣＣ  第３の接続配管、    Ｄ  第２の接続配管、    ＤＤ  第４の接続配管、    Ｅ  洗浄装置、    Ｆ  バイパス路、    １  圧縮機、    ３  熱源機側熱交換器、    ４四方弁、    ７  流量調整器、    ８  利用側熱交換器、    １８  異物捕捉装置、    ２０  熱源機制御器、    ２１、３１、４１、５１  制御部、    ２２、３２、４２、５２、７１  通信部、    ２３  終了情報保持部、    ２４  運転禁止指令部、    ２５、４３  特殊モード設定部、    ３０  洗浄装置制御器、    ３３  入出力部、    ３４  洗浄運転制御部、    ３５、７２  第２通信部、    ４０  室内機制御器、    ５０  バイパス路制御器、    ６０  外部信号源、    ６１  伝送線、    ７０  外部制御器。
【図１】
0004375925.tif 000002
【図２】
0004375925.tif 000003
【図３】
0004375925.tif 000004
【図４】
0004375925.tif 000005
【図５】
0004375925.tif 000006
【図６】
0004375925.tif 000007
【図７】
0004375925.tif 000008